(57)【特許請求の範囲】
【請求項１】
ジャンパコードを用いて他の光配線盤と接続される光配線盤（１）であって、
仕切板（１２）によって前面と背面とに分離された架体（１１）を具備し、
前記仕切板に、前記ジャンパコードを前記架体の前面から背面に導入するための開口部（１２ａ）が形成されており、
前記架体の背面に、前記開口部を通されて前記架体の背面に導入された前記ジャンパコードの配線ルートを形成するジャンパコードガイド棚（２０）が複数段取り付けられている、
ことを特徴とする、光配線盤。
【請求項２】
前記ジャンパコードガイド棚が、前記ジャンパコードを支持するためのジャンパコード支持板（２１）を備え、
該ジャンパコード支持板が、
前記ジャンパコードガイド棚を前記仕切板に固定するための固定部（２１ａ）と、
該固定部の前記仕切板と反対側の面から垂直に突出するように設けられた、かつ、前記架体の背面において水平方向に敷設される前記ジャンパコードを支持するための第１のジャンパコード支持部（２１ｂ）と、
該第１のジャンパコード支持部の先端部からそれぞれ突出するように設けられた、かつ、前記架体の背面において上下方向に敷設される前記ジャンパコードを支持するための第２のジャンパコード支持部（２１ｃ）とを備える、
ことを特徴とする、請求項１記載の光配線盤。
【請求項３】
前記第２のジャンパコード支持部が、前記仕切板に沿って複数個に分割されていることを特徴とする、請求項２記載の光配線盤。
【請求項４】
前記第１のジャンパコード支持部に、前記架体の背面において水平方向に敷設される前記ジャンパコードを整理するためのコードガイド（２２）が、前記仕切板と垂直方向に並んで取り付けられており、
前記第２のジャンパコード支持部に、前記架体の背面において上下方向に敷設される前記ジャンパコードを傷つけることなくかつ該ジャンパコードがずれないように支持するためのコードクランプ（２３）が、前記仕切板と垂直方向に並んで取り付けられている、
ことを特徴とする、請求項２または３記載の光配線盤。
【請求項５】
前記コードガイドが、棒をコの字に曲げた形状を有する本体部（２２ａ）と、該本体部の開口部において一端を中心に回転可能でかつ該本体部の開口部および底部間を移動可能なように該本体部に取り付けられた可動部（２２ｂ）とを備えた可動式コードガイド（２２）であり、
前記コードクランプが、直方体形状を有するスポンジ部（２３ａ）と、板をコの字に曲げた形状を有するかつ前記スポンジ部を支持するためのスポンジ支持部（２３ｃ）とを備えたスポンジ式コードクランプ（２３）であり、
前記スポンジ部の前記スポンジ支持部の開口部から底部にかけて切れ目（２３ｂ）が形成されている、
ことを特徴とする、請求項４記載の光配線盤。
【請求項６】
請求項１記載の光配線盤（１）で構成された第１および第２の光配線盤間を接続するジャンパコードを敷設するためのジャンパコード敷設方法であって、
前記第１の光配線盤の第１の架体（１１）の前面に取り付けられた第１の成端トレー（１５）に一端が接続された前記ジャンパコードを該第１の光配線盤の第１の仕切板（１２）の第１の開口部（１２ａ）を通して該第１の架体の背面に導入する第１のステップと、
前記第１の架体の背面に導入された前記ジャンパコードを、前記第１の光配線盤の複数段の第１のジャンパコードガイド棚（２０）のうちの少なくとも１段の第１のジャンパコードガイド棚および前記第２の光配線盤の複数段の第２のジャンパコードガイド棚（２０）のうちの少なくとも１段の第２のジャンパコードガイド棚によって支持して、該第２の光配線盤の第２の仕切板（１２）の第２の開口部（１２ａ）まで敷設する第２のステップと、
前記第２の開口部まで敷設された前記ジャンパコードを該第２の開口部を通して該第２の光配線盤の第２の架体（１１）の前面に敷設する第３のステップと、
前記第２の架体の前面に敷設された前記ジャンパコードの他端を該第２の架体の前面に取り付けられた第２の成端トレー（１５）に接続する第４のステップと、
を具備することを特徴とする、ジャンパコード敷設方法。
【請求項７】
前記第１の光配線盤が請求項５記載の光配線盤で構成されており、
前記第１の光配線盤の第２のジャンパコード支持部（２１ｃ）が、前記第１の開口部側の１番目の第２のジャンパコード支持部と、該１番目の第２のジャンパコード支持部に隣接する２番目の第２のジャンパコード支持部と、該２番目の第２のジャンパコード支持部と隣接するかつ前記第１の開口部と反対側の３番目の第２のジャンパコード支持部とからなり、
前記第２のステップにおいて、
前記第１の架体の背面に導入された前記ジャンパコードを水平方向に敷設する場合には、該ジャンパコードを前記１番目の第２のジャンパコード支持部のスポンジ式コードクランプ（２３）によって把持したのちに該第１の光配線盤の第１のジャンパコード支持部（２１ｂ）に載せ、該ジャンパコードを該第１のジャンパコード支持部の前記第１の開口部と反対側の可動式コードガイド（２２）によって支持したのちに前記第２の光配線盤に敷設し、
前記第１の架体の背面に導入された前記ジャンパコードを上下方向に敷設する場合には、該ジャンパコードを前記１番目の第２のジャンパコード支持部の前記スポンジ式コードクランプによって把持したのち、前記２番目の第２のジャンパコード支持部に載せ、その後、該ジャンパコードを前記３番目の第２のジャンパコード支持部の他のスポンジ式コードクランプ（２３）によって把持したのちに上下に曲げる、
ことを特徴とする、請求項６記載のジャンパコード敷設方法。
【発明の詳細な説明】
【技術分野】
【０００１】
本発明は、光配線盤およびジャンパコード敷設方法に関し、特に、光配線盤間を接続するジャンパコード（光コード）を効率的に敷設するのに好適な光配線盤およびジャンパコード敷設方法に関する。
【背景技術】
【０００２】
近年、心線数が１０００本というような多心光ファイバケーブルの整備に伴い、大容量の光配線盤が導入されている。また、大容量心線の使用回線における光心線は、主に、光自動検針システム端末やインターネットユーザ端末に接続されている。
このような大容量の光配線盤は、多心光ファイバケーブルが敷設されるごとに架単位で増設されており、光配線盤を跨る配線となった場合におけるジャンパコードの配線ルートとしては、架上ラック（架上に設けられたラック）または架下フリーアクセス（架下に設けられたフリーアクセス）が一般的に使用されている。
【０００３】
なお、下記の特許文献１には、多心光ファイバケーブルのジャンパコードによる接続および接続切替作業の容易化を図るために、一方側の光ファイバケーブルにつながる接続用コードを上面にてジャンパコードの一端とコネクタ接続する複数のコネクタトレーを積層状態で収納しかつコネクタトレーを前後方向に出し入れ自在に支持する第１のトレー収納架体と、他方側の光ファイバケーブルから導出した光ファイバ心線を上面にてジャンパコードの他端とコネクタ接続する複数のコネクタトレーを積層状態で収納しかつコネクタトレーを前後方向に出し入れ自在に支持する第２のトレー収納架体と、間隔をおいて左右に並んだ第１のトレー収納架体および第２のトレー収納架体の間に配され、前面が開放した水平断面コ字形をなし、内部がジャンパコードの余長収納空間とされたジャンパコード収納架体とを備えてなる光配線盤が開示されている。
【０００４】
また、下記の特許文献２には、多心光ファイバケーブルのジャンパコードによる接続および接続切替作業の容易化を図るために、前面が開放し内部がジャンパコードの余長収納空間とされた水平断面コ字形のジャンパコード収納架体を有し、対向する両側壁内面に、多数のジャンパコードの一端側および他端側をそれぞれ当該側壁に沿う平面内にて整列状態でクランプするコード支持部が設けられ、各コード支持部が、前後方向に複数のジャンパコード把持部を有しかつ上下方向に間隔的に多段に設けられた複数のコードクランプから構成された光配線盤が開示されている。
【０００５】
さらに、下記の特許文献３には、設置スペースの縮小、光ファイバの接続や切替接続の作業性を向上するために、配線盤本体部に対して回転によって開閉自在の扉状のパネルに光コネクタアダプタが取り付けられ、パネルの配線盤本体部側と配線盤本体部に対する逆側である前面側とからそれぞれ光コネクタアダプタにコネクタ接続された光ファイバ同士が光コネクタアダプタを介して接続されるように構成された光配線盤が開示されている。
【特許文献１】特開平９−１５９８４０号公報
【特許文献２】特開平９−１５９８４１号公報
【特許文献３】特開２００１−２３５６３３号公報
【発明の開示】
【発明が解決しようとする課題】
【０００６】
しかしながら、上述した配線ルート（架上ラックまたは架下フリーアクセス）には電源ケーブルや局内ケーブルなどの多数のケーブルが配線されているため、曲げや圧力に弱い光コードであるジャンパコードを配線するには、外的圧力に強い被覆構造をジャンパコードに持たせる必要がある。このため、今後増大していく通信回線においてこのような配線ルートを適用していくと、占有スペースの増加につながり、配線ルートが逼迫してくるという問題がある。
また、多心光ファイバケーブルやジャンパコードなどの光コードの光配線盤への導入が架上または架下に集中するため、光配線盤への導入口が逼迫し易くなるとともに、架上ラックを通したり架下フリーアクセスの下を通したりする必要があるため、ジャンパコードを敷設するのに手間がかかるという問題がある。
さらに、多心光ファイバケーブルの場合には、装置側の心線数も増えるため、張替えや調査のときに該当のジャンパコードを識別するのが困難であるとともに、架上または架下を経由させるため、ジャンパコードの長さが余分に必要であるという問題がある。
【０００７】
本発明の目的は、配線ルートや光配線盤への導入口の逼迫を解消することができるとともに作業および保守時の操作性を向上させることができる光配線盤およびジャンパコード敷設方法を提供することにある。
【課題を解決するための手段】
【０００８】
本発明の光配線盤は、ジャンパコードを用いて他の光配線盤と接続される光配線盤（１）であって、仕切板（１２）によって前面と背面とに分離された架体（１１）を具備し、前記仕切板に、前記ジャンパコードを前記架体の前面から背面に導入するための開口部（１２ａ）が形成されており、前記架体の背面に、前記開口部を通されて前記架体の背面に導入された前記ジャンパコードの配線ルートを形成するジャンパコードガイド棚（２０）が複数段取り付けられていることを特徴とする。
ここで、前記ジャンパコードガイド棚が、前記ジャンパコードを支持するためのジャンパコード支持板（２１）を備え、該ジャンパコード支持板が、前記ジャンパコードガイド棚を前記仕切板に固定するための固定部（２１ａ）と、該固定部の前記仕切板と反対側の面から垂直に突出するように設けられたかつ前記架体の背面において水平方向に敷設される前記ジャンパコードを支持するための第１のジャンパコード支持部（２１ｂ）と、該第１のジャンパコード支持部の先端部からそれぞれ突出するように設けられたかつ前記架体の背面において上下方向に敷設される前記ジャンパコードを支持するための第２のジャンパコード支持部（２１ｃ）とを備えてもよい。
前記第２のジャンパコード支持部が、前記仕切板に沿って複数個に分割されていてもよい。
前記第１のジャンパコード支持部に、前記架体の背面において水平方向に敷設される前記ジャンパコードを整理するためのコードガイド（２２）が、前記仕切板と垂直方向に並んで取り付けられており、前記第２のジャンパコード支持部に、前記架体の背面において上下方向に敷設される前記ジャンパコードを傷つけることなくかつ該ジャンパコードがずれないように支持するためのコードクランプ（２３）が、前記仕切板と垂直方向に並んで取り付けられていてもよい。
前記コードガイドが、棒をコの字に曲げた形状を有する本体部（２２ａ）と、該本体部の開口部において一端を中心に回転可能でかつ該本体部の開口部および底部間を移動可能なように該本体部に取り付けられた可動部（２２ｂ）とを備えた可動式コードガイド（２２）であり、前記コードクランプが、直方体形状を有するスポンジ部（２３ａ）と、板をコの字に曲げた形状を有するかつ前記スポンジ部を支持するためのスポンジ支持部（２３ｃ）とを備えたスポンジ式コードクランプ（２３）であり、前記スポンジ部の前記スポンジ支持部の開口部から底部にかけて切れ目（２３ｂ）が形成されていてもよい。
【０００９】
本発明のジャンパコード敷設方法は、請求項１記載の光配線盤（１）で構成された第１および第２の光配線盤間を接続するジャンパコードを敷設するためのジャンパコード敷設方法であって、前記第１の光配線盤の第１の架体（１１）の前面に取り付けられた第１の成端トレー（１５）に一端が接続された前記ジャンパコードを該第１の光配線盤の第１の仕切板（１２）の第１の開口部（１２ａ）を通して該第１の架体の背面に導入する第１のステップと、前記第１の架体の背面に導入された前記ジャンパコードを、前記第１の光配線盤の複数段の第１のジャンパコードガイド棚（２０）のうちの少なくとも１段の第１のジャンパコードガイド棚および前記第２の光配線盤の複数段の第２のジャンパコードガイド棚（２０）のうちの少なくとも１段の第２のジャンパコードガイド棚によって支持して、該第２の光配線盤の第２の仕切板（１２）の第２の開口部（１２ａ）まで敷設する第２のステップと、前記第２の開口部まで敷設された前記ジャンパコードを該第２の開口部を通して該第２の光配線盤の第２の架体（１１）の前面に敷設する第３のステップと、前記第２の架体の前面に敷設された前記ジャンパコードの他端を該第２の架体の前面に取り付けられた第２の成端トレー（１５）に接続する第４のステップとを具備することを特徴とする。
ここで、前記第１の光配線盤が請求項５記載の光配線盤で構成されており、前記第１の光配線盤の第２のジャンパコード支持部（２１ｃ）が、前記第１の開口部側の１番目の第２のジャンパコード支持部と、該１番目の第２のジャンパコード支持部に隣接する２番目の第２のジャンパコード支持部と、該２番目の第２のジャンパコード支持部と隣接するかつ前記第１の開口部と反対側の３番目の第２のジャンパコード支持部とからなり、前記第２のステップにおいて、前記第１の架体の背面に導入された前記ジャンパコードを水平方向に敷設する場合には、該ジャンパコードを前記１番目の第２のジャンパコード支持部のスポンジ式コードクランプ（２３）によって把持したのちに該第１の光配線盤の第１のジャンパコード支持部（２１ｂ）に載せ、該ジャンパコードを該第１のジャンパコード支持部の前記第１の開口部と反対側の可動式コードガイド（２２）によって支持したのちに前記第２の光配線盤に敷設し、前記第１の架体の背面に導入された前記ジャンパコードを上下方向に敷設する場合には、該ジャンパコードを前記１番目の第２のジャンパコード支持部の前記スポンジ式コードクランプによって把持したのち、前記２番目の第２のジャンパコード支持部に載せ、その後、該ジャンパコードを前記３番目の第２のジャンパコード支持部の他のスポンジ式コードクランプ（２３）によって把持したのちに上下に曲げてもよい。
【発明の効果】
【００１０】
本発明の光配線盤およびジャンパコード敷設方法は、以下に示すような効果を奏する。
（１）ジャンパコードの配線ルートを光配線盤の背面に設けることにより、配線ルートや光配線盤への導入口の逼迫を解消することができるとともに、架上ラックの設置を不要とすることができる。
（２）外的圧力に強い被覆構造をジャンパコードに持たせる必要がなくかつジャンパコードは所定のルールに従って敷設されているため、ジャンパコードとして架内配線用ジャンパコードを使用することができ、ジャンパコードの長さも短くてすむとともに、ジャンパコードも目視で確認し易いので、作業および保守時の操作性を向上させることができる。
【発明を実施するための最良の形態】
【００１１】
上記の目的を、ジャンパコードの配線ルートを光配線盤の背面に設けるとともに、ジャンパコードを所定のルールに従って敷設することにより実現した。
【実施例１】
【００１２】
以下、本発明の光配線盤およびジャンパコード敷設方法の実施例について、図面を参照して説明する。
本発明の一実施例による光配線盤１は、図１および図２に前面側および背面側の構成をそれぞれ示すように、仕切板１２によって前面と背面とに分離された架体１１を具備する。ここで、架体１１の前面から見て仕切板１２の右側には、ジャンパコードを架体１１の前面から背面に通すための開口部１２ａが形成されている。
【００１３】
図１に示すように、架体１１の前面には、従来の光配線盤と同様に、カプラ収容トレー取付ベース１３と、センターコードトレー１４と、成端トレー１５とが取り付けられる。なお、この例では、成端トレー１５は、破線で示す成端トレー収容スペースに４４個ほど積層状態で取り付けられている。
【００１４】
架体１１の前面から見て左側の側板内面には、光ファイバケーブルの心線を成端トレー１５に導くための４個の心線用サポート１６が、一定の間隔で取り付けられている。また、架体１１の前面から見て右側の側板内面には、一端が成端トレー１５に接続されたジャンパコードを仕切板１２の開口部１２ａを通して架体１１の背面に導くための６個のマジックテープ付コードガイド１７が、一定の間隔で取り付けられている。
【００１５】
図２に示すように、架体１１の背面には、ジャンパコードガイド棚２０が一定の間隔で６段ほど仕切板１２に取り付けられている。また、架体１１の背面の両側板内面には、３個の可動式コードガイド２２（図４参照）を備えた側面コードガイド３０が、ジャンパコードガイド棚２０の間に１個ずつ取り付けられている。
【００１６】
ジャンパコードガイド棚２０は、図３に示すように、ジャンパコード支持板２１と、６個の可動式コードガイド２２と、８個のスポンジ式コードクランプ２３とを備える。
ここで、ジャンパコード支持板２１は、ジャンパコードガイド棚２０を仕切板１２に固定するための固定部２１ａと、固定部２１ａの表面（仕切板１２と反対側の面）から垂直に突出するように設けられた第１のジャンパコード支持部２１ｂと、第１のジャンパコード支持部２１ｂの先端部の左、中央および右からそれぞれ突出するように設けられた第２のジャンパコード支持部２１ｃとを備える。
第１のジャンパコード支持部２１ｂは、架体１１の背面において水平方向（横方向）に敷設されるジャンパコードを支持するためのものであり、両端部に可動式コードガイド２２が３個ずつ仕切板１２と垂直方向に並んで取り付けられている。
第２のジャンパコード支持部２１ｃは、架体１１の背面において上下方向（縦方向）に敷設されるジャンパコードを支持するためのものであり、両端の第２のジャンパコード支持部２１ｃにスポンジ式コードクランプ２３が４個ずつ仕切板１２と垂直方向に並んで取り付けられている。
【００１７】
ジャンパコードガイド棚２０の第１のジャンパコード支持部２１ｂと側面コードガイド３０とに設けられた可動式コードガイド２２は、図４に示すように、棒をコの字に曲げた形状を有する本体部２２ａと、本体部２２ａの開口部（底部と対向する部分）において一端を中心に回転可能でかつ本体部２２ａの開口部と底部との間を（図示横方向に）移動可能なように本体部２２ａに取り付けられた可動部２２ｂとを備える。これにより、可動部２２ｂを本体部２２ａの開口部まで移動したのちに可動部２２ｂを回転させて本体部２２ａの開口部を開けば、ジャンパコードを本体部２２ａの開口部から本体部２２ａに挿入することができ、その後、可動部２２ｂを回転させて本体部２２ａの開口部を可動部２２ｂで塞いだのちに可動部２２ｂを本体部２２ａの底部に向かって移動すれば、ジャンパコードが本体部２２ａから出ないように支持して、ジャンパコードを整理することができる。
【００１８】
スポンジ式コードクランプ２３は、図５（ａ），（ｂ）に示すように、直方体形状を有するスポンジ部２３ａと、板をコの字に曲げた形状を有するスポンジ支持部２３ｃとを備える。スポンジ部２３ａは、スポンジ支持部２３ｃの開口部（底部と対向する部分）からスポンジ支持部２３ｃに挿入されることにより、スポンジ支持部２３ｃによって支持される。また、スポンジ部２３ａのスポンジ支持部２３ｃの開口部から底部にかけて切れ目２３ｂが形成されており、ジャンパコードをスポンジ部２３ａの切れ目２３ｂに挿入すれば、ジャンパコードを傷つけることなくかつジャンパコードがずれないように支持することができる。
【００１９】
図１には図示していないが、架体１１の上面および下面には、光ファイバケーブル導入穴などが形成されている。
【００２０】
次に、光配線盤１においてジャンパコードを敷設する方法（本発明の一実施例によるジャンパコード敷設方法）について、図６を参照して説明する。
架体１１の前面に取り付けられた成端トレー１５に一端が接続されたジャンパコードは、最寄りのマジックテープ付コードガイド１７によって支持されたのちに仕切板１２の開口部１２ａを通されて架体１１の背面に導入される。
【００２１】
架体１１の背面に導入されたジャンパコードは、以下のルールに従って敷設される。
（１）架体１１の背面に導入されたジャンパコードは、図６（ａ），（ｂ）の上側の矢印で示すように、架体１１の開口部１２ａと反対側に向かって敷設する。
（２）架体１１の背面に導入されたジャンパコードを光配線盤１の上下方向に敷設するときには、図６（ａ），（ｂ）の下側の矢印で示すように、架体１１の開口部１２ａと反対側に向かって敷設したのちに上または下に曲げる。すなわち、架体１１の背面に導入されたジャンパコードをすぐに上下方向に敷設したり、隣接する第２のジャンパコード支持部２１ｃ間の開口部からジャンパコードを上下方向に敷設したりすることを禁止する。
（３）隣接する第２のジャンパコード支持部２１ｃ間の開口部は、ジャンパコードの余長処理に使用することはできる。
【００２２】
したがって、たとえば、図６（ａ）に示すように架体１１の背面から見て左側に開口部１２ａが設けられた光配線盤１では、架体１１の背面に敷設されたジャンパコードを光配線盤１の図示右側に隣接する他の光配線盤１（不図示）に向かって敷設する場合には、このジャンパコードは、第２のジャンパコード支持部２１ｃの図示左側（開口部１２ａ側）に取り付けられたスポンジ式コードクランプ２３（図３参照）によって把持されたのち、第１のジャンパコード支持部２１ｂに載せられる。その後、このジャンパコードは、第１のジャンパコード支持部２１ｂの図示右側に取り付けられた可動式コードガイド２２（図３参照）によって支持されたのち、他の光配線盤１（不図示）に敷設される。
【００２３】
また、架体１１の背面に敷設されたジャンパコードを図示左側に隣接する別の光配線盤１（不図示）に向かって敷設する場合には、このジャンパコードは、第２のジャンパコード支持部２１ｃの図示左側（開口部１２ａ側）に取り付けられたスポンジ式コードクランプ２３によって把持されたのち、図示中央の第２のジャンパコード支持部２１ｃに載せられる。その後、このジャンパコードは、図示右側（開口部１２ａと反対側）の第２のジャンパコード支持部２１ｃに取り付けられたスポンジ式コードクランプ２３によって把持されたのち、下に曲げられる。その後、このジャンパコードは、１段下のジャンパコード支持板２１の図示右側（開口部１２ａと反対側）の第２のジャンパコード支持部２１ｃに取り付けられたスポンジ式コードクランプ２３によって把持されたのち、第１のジャンパコード支持部２１ｂに載せられる。その後、このジャンパコードは、１段下のジャンパコード支持板２１の第１のジャンパコード支持部２１ｂの図示左側（開口部１２ａ側）に取り付けられた可動式コードガイド２２によって支持されたのち、別の光配線盤１（不図示）に敷設される。
【００２４】
次に、第１の線路用光配線盤１11、第２の線路用光配線盤１12、第１の装置用光配線盤１21、第２の装置用光配線盤１22、第３の装置用光配線盤１23、第３の線路用光配線盤１13および第４の線路用光配線盤１14の順番で並べられている場合に第１乃至第５のジャンパコードＪ１〜Ｊ５を敷設した例について、図７を参照して説明する。
なお、第１乃至第４の線路用光配線盤１11〜１14では、仕切板１２の開口部１２ａは図６（ａ）に示したように架体１１の背面から見て左側に設けられており、また、第１乃至第３の装置用光配線盤１21〜１23では、仕切板１２の開口部１２ａは図６（ｂ）に示したように架体１１の背面から見て右側に設けられているものとする。
【００２５】
図７の左下の太線で示すように、第１の線路用光配線盤１11の開口部１２ａから第１の線路用光配線盤１11の背面に導入された第１のジャンパコードＪ１は、第１の線路用光配線盤１11の第６段目のジャンパコードガイド棚２０の図示左側のスポンジ式コードクランプ２３（図３参照）によって把持され、このジャンパコードガイド棚２０の図示右側の可動式コードガイド２２（図３参照）、第２の線路用光配線盤１12の第６段目のジャンパコードガイド棚２０の両端部の可動式コードガイド２２、第１の装置用光配線盤１21の第６段目のジャンパコードガイド棚２０の両端部の可動式コードガイド２２および第２の装置用光配線盤１22の第６段目のジャンパコードガイド棚２０の図示左側の可動式コードガイド２２によって支持されて、第１の線路用光配線盤１11から第２の装置用光配線盤１22まで敷設されている。
第２の装置用光配線盤１22まで敷設された第１のジャンパコードＪ１は、第２の装置用光配線盤１22の第６段目のジャンパコードガイド棚２０の図示右側のスポンジ式コードクランプ２３によって把持されたのち、第２の装置用光配線盤１22の開口部１２ａを通して第２の装置用光配線盤１22の前面に敷設されている。
【００２６】
図７の右上の太線で示すように、第４の線路用光配線盤１14の開口部１２ａから第４の線路用光配線盤１14の背面に導入された第２のジャンパコードＪ２は、第４の線路用光配線盤１14の第４段目のジャンパコードガイド棚２０の図示左側のスポンジ式コードクランプ２３によって把持されたのち、このジャンパコードガイド棚２０の図示右側のスポンジ式コードクランプ２３および第４の線路用光配線盤１14の第３段目のジャンパコードガイド棚２０の図示右側のスポンジ式コードクランプ２３によって把持されて、第４の線路用光配線盤１14の第３段目に敷設されている。このとき、第２のジャンパコードＪ２は、第４の線路用光配線盤１14の第３および第４段目間の側面コードガイド３０の可動式コードガイド２２（図２参照）によって支持されて、第４の線路用光配線盤１14の第４段目から第３段目に敷設されている。
第４の線路用光配線盤１14の第３段目に敷設された第２のジャンパコードＪ２は、第４の線路用光配線盤１14の第３段目のジャンパコードガイド棚２０の図示左側の可動式コードガイド２２、第３の線路用光配線盤１13の第３段目のジャンパコードガイド棚２０の両端部の可動式コードガイド２２、第３の装置用光配線盤１23の第３段のジャンパコードガイド棚２０の両端部の可動式コードガイド２２および第２の装置用光配線盤１22の第３段のジャンパコードガイド棚２０の図示右側の可動式コードガイド２２によって支持されたのち、このジャンパコードガイド棚２０の図示左側のスポンジ式コードクランプ２３および第２の装置用光配線盤１22の第１段目のジャンパコードガイド棚２０の図示左側のスポンジ式コードクランプ２３によって把持されて、第２の装置用光配線盤１22の第１段目に敷設されている。このとき、第２のジャンパコードＪ２は、第２の装置用光配線盤１22の第２および第３段目間と第１および第２段目間の側面コードガイド３０の可動式コードガイド２２によって支持されて、第２の装置用光配線盤１22の第３段目から第１段目に敷設されている。
第２の装置用光配線盤１22の第１段目に敷設された第２のジャンパコードＪ２は、第２の装置用光配線盤１22の第１段目の図示右側のスポンジ式コードクランプ２３によって把持されたのち、第２の装置用光配線盤１22の開口部１２ａを通して第２の装置用光配線盤１22の前面に敷設されている。
【００２７】
図７の左上の太線で示すように、第２の線路用光配線盤１12の開口部１２ａから第２の線路用光配線盤１12の背面に導入された第３のジャンパコードＪ３は、第２の線路用光配線盤１12の第１段目のジャンパコードガイド棚２０の左側のスポンジ式コードクランプ２３によって把持され、このジャンパコードガイド棚２０の図示右側の可動式コードガイド２２および第１の装置用光配線盤１21の第１段目のジャンパコードガイド棚２０の右側の可動式コードガイド２２によって支持され、ジャンパコードガイド棚２０の図示右側のスポンジ式コードクランプ２３によって把持されたのち、第１の装置用光配線盤１21の開口部１２ａを通して第１の装置用光配線盤１21の前面に敷設されている。
【００２８】
図７の右下の太線で示すように、第３の装置用光配線盤１23の開口部１２ａから第３の装置用光配線盤１23の背面に導入された第４のジャンパコードＪ４は、第３の装置用光配線盤１23の第４段目のジャンパコードガイド棚２０の図示右側のスポンジ式コードクランプ２３によって把持されたのち、このジャンパコードガイド棚２０の図示左側のスポンジ式コードクランプ２３および第３の装置用光配線盤１23の第５段目のジャンパコードガイド棚２０の図示左側のスポンジ式コードクランプ２３によって把持されて、第３の装置用光配線盤１23の第５段目に敷設されている。このとき、第４のジャンパコードＪ４は、第３の装置用光配線盤１23の第４および第５段目間の側面コードガイド３０の可動式コードガイド２２によって支持されて、第３の装置用光配線盤１23の第４段目から第５段目に敷設されている。
第３の装置用光配線盤１23の第５段目に敷設された第４のジャンパコードＪ４は、第３の装置用光配線盤１23の第５段目のジャンパコードガイド棚２０の図示右側の可動式コードガイド２２および第３の線路用光配線盤１13の第５段目のジャンパコードガイド棚２０の図示左側の可動式コードガイド２２によって支持されたのち、このジャンパコードガイド棚２０の図示右側のスポンジ式コードクランプ２３および第３の線路用光配線盤１13の第４段目のジャンパコードガイド棚２０の図示右側のスポンジ式コードクランプ２３によって把持されて、第３の線路用光配線盤１13の第４段目に敷設されている。このとき、第４のジャンパコードＪ４は、第３の線路用光配線盤１13の第４および第５段目間の側面コードガイド３０の可動式コードガイド２２によって支持されて、第３の線路用光配線盤１13の第５段目から第４段目に敷設されている。
第３の線路用光配線盤１13の第４段目に敷設された第４のジャンパコードＪ４は、第３の線路用光配線盤１13の第４段目の図示左側のスポンジ式コードクランプ２３によって把持されたのち、第３の線路用光配線盤１13の開口部１２ａを通して第３の線路用光配線盤１13の前面に敷設されている。
【００２９】
以上説明した第１乃至第４のジャンパコードＪ１〜Ｊ４は余長のないジャンパコードであるが、余長が発生した第５のジャンパコードＪ５は以下のようにして敷設されている。
図７の左中央の太線で示すように、第１の線路用光配線盤１11の開口部１２ａから第１の線路用光配線盤１11の背面に導入された第５のジャンパコードＪ５は、第１の線路用光配線盤１11の第４段目のジャンパコードガイド棚２０の図示左側のスポンジ式コードクランプ２３によって把持されたのち、このジャンパコードガイド棚２０の図示右側のスポンジ式コードクランプ２３および第２の線路用光配線盤１12の第２段目のジャンパコードガイド棚２０の図示左側のスポンジ式コードクランプ２３によって把持されて、第２の線路用光配線盤１12の第２段目に敷設されている。このとき、第５のジャンパコードＪ５は、第１の線路用光配線盤１11の第２および第４段目間の側面コードガイド３０の可動式コードガイド２２によって支持されて、第１の線路用光配線盤１11の第４段目から第２の線路用光配線盤１12の第２段目に敷設されている。
第２の線路用光配線盤１12の第２段目に敷設された第５のジャンパコードＪ５は、第２の線路用光配線盤１12の第２段目のジャンパコードガイド棚２０の図示右側のスポンジ式コードクランプ２３および第１の装置用光配線盤１21の第５段目のジャンパコードガイド棚２０の図示左側のスポンジ式コードクランプ２３によって把持されて、第１の装置用光配線盤１21の第５段目に敷設されている。このとき、第５のジャンパコードＪ５は、第２の線路用光配線盤１12の第２および第５段目間の側面コードガイド３０の可動式コードガイド２２によって支持されて、第２の線路用光配線盤１12の第２段目から第１の装置用光配線盤１21の第５段目に敷設されている。
第１の装置用光配線盤１21の第５段目に敷設された第５のジャンパコードＪ５は、第１の装置用光配線盤１21の第５段目の図示右側のスポンジ式コードクランプ２３によって把持されたのち、第１の装置用光配線盤１21の開口部１２ａを通して第１の装置用光配線盤１21の前面に敷設されている。
【００３０】
なお、第５のジャンパコードＪ５を以下のように敷設して、ジャンパコードガイド棚２０の隣接する第２のジャンパコード支持部２１ｃ間の開口部を用いて余長処理を行ってもよい。
第１の線路用光配線盤１11の開口部１２ａから第１の線路用光配線盤１11の背面に導入された第５のジャンパコードＪ５は、第１の線路用光配線盤１11の第４段目のジャンパコードガイド棚２０の左側のスポンジ式コードクランプ２３によって把持され、このジャンパコードガイド棚２０の図示右側の可動式コードガイド２２および第２の線路用光配線盤１12の第４段目のジャンパコードガイド棚２０の図示左側の可動式コードガイド２２によって支持されたのち、第２の線路用光配線盤１12の第４段目のジャンパコードガイド棚２０の中央の第２のジャンパコード支持部２１ｃの周りに巻かれることにより余長処理される。
このように余長処理された第５のジャンパコードＪ５は、第２の線路用光配線盤１12の第５段目のジャンパコードガイド棚２０の図示右側のスポンジ式コードクランプ２３および第１の装置用光配線盤１21の第５段目のジャンパコードガイド棚２０の図示左側のスポンジ式コードクランプ２３によって把持されて、第１の装置用光配線盤１21の第５段目に敷設される。このとき、第５のジャンパコードＪ５は、第２の線路用光配線盤１12の第４および第５段目間の側面コードガイド３０の可動式コードガイド２２によって支持されて、第２の線路用光配線盤１12の第４段目から第１の装置用光配線盤１21の第５段目に敷設される。
第１の装置用光配線盤１21の第５段目に敷設された第５のジャンパコードＪ５は、第１の装置用光配線盤１21の第５段目の図示右側のスポンジ式コードクランプ２３によって把持されたのち、第１の装置用光配線盤１21の開口部１２ａを通して第１の装置用光配線盤１21の前面に敷設される。
【００３１】
以上の説明においては、ジャンパコードガイド棚２０の第２のジャンパコード支持部２１ｃは図３に示したように３つに分けたが、隣接する第２のジャンパコード支持部２１ｃ間の開口部をジャンパコードの余長処理に使用しない場合には、第１および第２のジャンパコード支持部２１ｂ，２１ｃを１枚の板で構成してもよい。
【図面の簡単な説明】
【００３２】
【図１】本発明の一実施例による光配線盤１の架体１１の前面側の構成を示す図である。
【図２】図１に示した光配線盤１の架体１１の背面側の構成を示す図である。
【図３】図２に示したジャンパコードガイド棚２０の構成を示す図である。
【図４】図２および図３に示した可動式コードガイド２２の構成を示す図である。
【図５】図３に示したスポンジ式コードクランプ２３の構成を示す図である。
【図６】本発明の一実施例によるジャンパコード敷設方法を説明するための図である。
【図７】本発明の一実施例によるジャンパコード敷設方法を用いて第１乃至第５のジャンパコードＪ１〜Ｊ５を敷設した例を示す図である。
【符号の説明】
【００３３】
１  光配線盤
１11〜１14  第１乃至第４の線路用光配線盤
１21〜１23  第１乃至第３の装置用光配線盤
１１  架体
１２  仕切板
１２ａ  開口部
１３  カプラ収容トレー取付ベース
１４  センターコードトレー
１５  成端トレー
１６  心線用サポート
１７  マジックテープ付コードガイド
２０  ジャンパコードガイド棚
２１  ジャンパコード支持板
２１ａ  固定部
２１ｂ  第１のジャンパコード支持部
２１ｃ  第２のジャンパコード支持部
２２  可動式コードガイド
２２ａ  本体部
２２ｂ  可動部
２３  スポンジ式コードクランプ
２３ａ  スポンジ部
２３ｂ  切れ目
２３ｃ  スポンジ支持部
３０  側面コードガイド
Ｊ１〜Ｊ５  ジャンパコード
【図１】
0004753802.tif 000002
【図２】
0004753802.tif 000003
【図３】
0004753802.tif 000004
【図４】
0004753802.tif 000005
【図５】
0004753802.tif 000006
【図６】
0004753802.tif 000007
【図７】
0004753802.tif 000008